(57)【要約】【課題】  被処理水の処理経路に、被処理水の一部を分岐させることによって流量調整を行う流量調整装置を有する排水処理装置において、流量調整装置における流量調整機能の維持、安定化に資する技術を提供する。【解決手段】  流量調整槽１２０の下流に計量調整装置１３０が装着され、流量調整槽１２０の水位が下側基準水位（ＬＷＬ）よりも高い場合に第１移送ポンプ１２１が運転状態とされ、流量調整槽１２０の水位が上側基準水位（ＨＷＬ）よりも高い場合に第１移送ポンプ１２１に加え第２移送ポンプ１２２が運転状態とされる構成の排水処理槽１００において、流量調整槽１２０の水位が下側基準水位（ＬＷＬ）と上側基準水位（ＨＷＬ）との間にある場合において、第２移送ポンプ１２２を所定時間運転させることによって計量調整装置１３０へと移送される被処理水の移送流量を増加させるように構成する。【選択図】      図３
2005118677.tif 000002
【特許請求の範囲】
【請求項１】
被処理水の処理経路に、被処理水の一部を分岐させることによって流量調整を行う流量調整装置と、貯留領域から前記流量調整装置へと被処理水を移送可能な第１移送ポンプおよび第２移送ポンプとを備え、
前記貯留領域の水位が下側基準水位よりも高い場合に前記第１移送ポンプが運転状態とされ、前記貯留領域の水位が上側基準水位よりも高い場合に前記第１移送ポンプに加え前記第２移送ポンプが運転状態とされる構成の排水処理装置であって、
前記貯留領域の水位が下側基準水位と上側基準水位との間にある場合において、前記第１移送ポンプを介して前記流量調整装置へと移送される被処理水の移送流量を増加させる流量増加手段を備えていることを特徴とする排水処理装置。
【請求項２】
請求項１に記載の排水処理装置であって、
前記流量増加手段は、前記貯留領域の水位が下側基準水位と上側基準水位との間にある場合において、前記第２移送ポンプを所定時間運転させる構成であることを特徴とする排水処理装置。
【請求項３】
請求項１に記載の排水処理装置であって、
前記第１移送ポンプは、被処理水の移送流量が可変とされた構成であり、
前記流量増加手段は、前記貯留領域の水位が下側基準水位と上側基準水位との間にある場合において、前記第１移送ポンプによる移送流量を当該第１移送ポンプの起動時よりも増加させた状態を所定時間継続する構成であることを特徴とする排水処理装置。
【請求項４】
請求項２または３に記載の排水処理装置であって、
前記第１移送ポンプが起動したことを検出可能な第１移送ポンプ情報検出手段を備え、
前記流量増加手段は、前記第１移送ポンプ情報検出手段により検出された情報に基づいて作動する構成であることを特徴とする排水処理装置。
【発明の詳細な説明】
【技術分野】
【０００１】
本発明は、被処理水の処理を行う排水処理装置に係り、詳しくは被処理水の処理経路に、被処理水の一部を分岐させることによって流量調整を行う流量調整装置を有する排水処理装置の構築技術に関するものである。
【背景技術】
【０００２】
従来、一般家庭等から排出される生活排水や、産業廃水等の処理を行う排水処理装置につき、被処理水の処理経路に流量調整を行う計量装置が装着された構成のものが知られている（例えば、特許文献１参照。）。
特許文献１に開示の計量装置は、上流側処理槽から送水ポンプを介して受け入れた被処理水の一部を当該上流側処理槽へ戻すことによって被処理水の流量を調整したのち、流量調整がなされた被処理水を下流側処理槽へと流出させるように構成されている。また、上流側処理槽から計量装置へと被処理水を移送する送水ポンプの起動および停止は、上流側処理槽に設置されたフロートスイッチによる水位検出情報に基づいて制御される構成になっている。
ところで、上記従来技術に記載のような計量装置を備えた排水処理装置につき、特に上流側処理槽に流入する被処理水の流入量が少ないような場合には、送水ポンプを介して該計量装置に流入する被処理水の流量および流量変動が小さくなる。このような場合には、計量装置内の流通経路を構成する各構成部材にＳＳなどのスケールが付着したり夾雑物が堆積し、これにより流量調整機能が損なわれることが想定される。そこで、上記のような計量装置を備えた排水処理装置にあっては、計量装置における流量調整機能の維持、安定化に関し一層の合理化を図る要請がある。
【特許文献１】特開２００１−９８９号公報
【発明の開示】
【発明が解決しようとする課題】
【０００３】
本発明は、かかる点に鑑みてなされたものであり、被処理水の処理経路に、被処理水の一部を分岐させることによって流量調整を行う流量調整装置を有する排水処理装置において、流量調整装置における流量調整機能の維持、安定化に資する技術を提供することを課題とする。
【課題を解決するための手段】
【０００４】
前記課題を解決するために、本発明が構成される。なお、本発明は、貯留領域の水位が下側基準水位と上側基準水位との間にある場合において、貯留領域から流量調整装置へと移送される被処理水の移送流量を増加させ流量調整装置への流入量を増加させる構成を用いることによって、流量調整装置における被処理水の流通経路に付着した付着物や堆積した堆積物を除去し、また付着物や堆積物の発生を防止し、これにより流量調整装置における流量調整機能の維持、安定化に資するようにした技術である。
【０００５】
（本発明の第１発明）
本発明の第１発明は、請求項１に記載されたとおりの排水処理装置である。
請求項１に記載の排水処理装置は、一般家庭等から排出される生活排水や、産業廃水などの被処理水の処理経路に流量調整装置が装着された構成を有する。典型的には、所定の処理領域（第１の処理槽）とその下流の処理領域（第２の処理槽）との間に流量調整装置が装着された構成が用いられる。流量調整装置は、流入部を通じて流入した被処理水の一部を分岐させることによって流量を調整したのち、流量調整がなされた被処理水を流出部を通じて装置外へ流出させる構成を有する。すなわち、流入した被処理水の一部を分岐させることによって、流入量が変動しても流出量を一定に調整することが可能になっている。被処理水は、第１移送ポンプおよび第２移送ポンプを介して貯留領域から流量調整装置の流入部へと移送されるようになっている。具体的には、貯留領域の水位が下側基準水位よりも高い場合に第１移送ポンプが運転状態とされ、貯留領域の水位が上側基準水位よりも高い場合に第１移送ポンプに加え第２移送ポンプが運転状態とされる。すなわち、貯留領域の水位情報を検出することによって、下側基準水位を境界として第１移送ポンプの起動（運転開始）と停止が切り替えられ、また上側基準水位を境界として第２移送ポンプの起動（運転開始）と停止が切り替えられることとなる。貯留領域の水位情報を検出する手段としては、いわゆる「フロートスイッチ」を用いた機構を典型的に用いる。このように、貯留領域の水位に応じて第１移送ポンプおよび第２移送ポンプの運転制御が行われることとなる。なお、これら第１移送ポンプおよび第２移送ポンプとしては、いわゆる「エアリフトポンプ」や「水中ポンプ」と称呼されるポンプを用いることができる。
【０００６】
特に、本発明の排水処理装置は流量増加手段を備えている。この流量増加手段は、貯留領域の水位が下側基準水位と上側基準水位との間にある場合、すなわち第１移送ポンプのみが運転される場合において、貯留領域から流量調整装置へと移送される被処理水の移送流量を、第１移送ポンプによる移送流量よりも増加させる機能を有する手段である。このような流量増加手段を用いることによって、貯留領域から流量調整装置へと移送される被処理水の移送流量を所望の流量へと増加させ、流量調整装置への流入量を増加させることが可能となる。なお、流量増加手段によって増加させる被処理水の増加量は、後述する流量調整装置の洗浄処理において得られる洗浄効果に応じて適宜設定する。
【０００７】
ここで、貯留領域の水位が下側基準水位と上側基準水位との間にあるとき、貯留領域への被処理水の流入量が少ないような場合には、第１移送ポンプから流量調整装置へと移送される被処理水の移送流量が少なく当該移送流量の変動も小さい。このような場合には、流量調整装置への被処理水の流入量も少なく当該流入量の変動も小さいことから、流量調整装置内の流通経路を構成する各構成部材にＳＳなどのスケールが付着したり夾雑物が堆積し、これにより流量調整装置本来の流量調整機能が損なわれることが想定される。
そこで、本発明では流量増加手段を設けることによって、貯留領域から流量調整装置へと移送される被処理水の移送流量を第１移送ポンプによる移送流量よりも増加させることとしている。これにより、流量調整装置内の流通経路を流れる被処理水の流量および流速を増加させることができるとともに、被処理水の流量および流速に変動を与えることができる。従って、流量調整装置内の各構成部材、例えば越流によって被処理水の移流を可能とする越流堰や、潜流によって被処理水の移流を可能とする潜り堰等に付着したＳＳなどのスケールや堆積物を除去し、流量調整装置外へ排出するという流量調整装置の洗浄処理を行うことが可能となる。とりわけ、流量増加手段の作動頻度を高め流量調整装置への流入量の増加タイミングの頻度を増やすことによって、越流堰や潜り堰等におけるスケールの付着や堆積物の堆積の発生自体を抑えることが可能となる。かくして、流量調整装置本来の流量調整機能の維持、安定化を図ることが可能となる。
また、本発明の流量増加手段のこのような作用効果により流量調整装置の前段に微細目スクリーンのような固形物分離手段を設ける必要がなくなり、流量調整装置の構成を簡素化することが可能となる。
【０００８】
なお、本発明では、流量増加手段によって被処理水の移送流量が増加される時間、タイミング（時期）は、必要に応じて適宜設定される。流量増加手段によって被処理水の移送流量が増加される時間は、好ましくは、被処理水の移送流量を増加させることによって後段における処理流量（処理負荷）を増加させ過ぎないような時間を勘案して設定することができる。また、流量増加手段によって被処理水の移送流量が増加されるタイミング（時期）は、好ましくは、流量調整装置の洗浄処理に有効な頻度を勘案して設定することができる。
【０００９】
また、本発明では流量増加手段の構成に関し種々の形態を採り得る。
一例として、貯留領域の水位が下側基準水位と上側基準水位との間にあるときには、既に運転中の状態にある第１移送ポンプに加え本来停止中の状態にある第２移送ポンプを所定時間運転することによって移送流量を増加させる形態や、既に運転中の状態にある第１移送ポンプの移送能力を一時的に上げる制御を行うことによって移送流量を増加させる形態、また第１移送ポンプや第２移送ポンプ以外の移送ポンプを所定時間運転することによって移送流量を増加させる形態などによって、本発明の流量増加手段を構成することができる。
【００１０】
（本発明の第２発明）
本発明の第２発明は、請求項２に記載されたとおりの排水処理装置である。
請求項２に記載の排水処理装置では、請求項１に記載の流量増加手段が、貯留領域の水位が下側基準水位と上側基準水位との間にある場合において、第２移送ポンプを所定時間運転させるようになっている。すなわち、第１移送ポンプおよび第２移送ポンプが一時的に２台同時運転となる設定とされている。第１移送ポンプおよび第２移送ポンプを２台同時運転とするように制御することによって、貯留領域から流量調整装置へと移送される被処理水の移送流量を所望の流量へと増加させ、流量調整装置への流入量を増加させることが可能となる。
なお、第２移送ポンプを起動する起動タイミングに関しては、第１移送ポンプの起動時（運転開始時）ないし当該起動時から所定時間後、また、貯留領域の水位が下側基準水位と上側基準水位との間の予め定められた水位に達したとき等を当該起動タイミングとして適宜設定することができる。
本発明に記載の排水処理装置のこのような構成によれば、流量調整装置本来の流量調整機能の維持、安定化を図ることが可能となるうえに、本来貯留領域の水位が上側基準水位に達しないと運転されない第２移送ポンプを用いて流量増加手段を構成するため合理的である。
【００１１】
（本発明の第３発明）
本発明の第３発明は、請求項３に記載されたとおりの排水処理装置である。
請求項３に記載の排水処理装置では、請求項１に記載の第１移送ポンプによる被処理水の移送流量が可変とされており、当該第１移送ポンプを用いて流量増加手段が構成されるようになっている。そして、本発明では、貯留領域の水位が下側基準水位と上側基準水位との間にある場合において、第１移送ポンプによる移送流量を当該第１移送ポンプの起動時（運転開始時）よりも増加させた状態が所定時間継続される設定になっている。この第１移送ポンプとしては、流量可変タイプのポンプを用いることができる。第１移送ポンプによる移送流量を制御することによって、貯留領域から流量調整装置へと移送される被処理水の移送流量を所望の流量へと増加させ、流量調整装置への流入量を増加させることが可能となる。
なお、第１移送ポンプの移送流量を増加させるタイミングに関しては、第１移送ポンプの起動時（運転開始時）ないし当該起動時から所定時間後、また、貯留領域の水位が下側基準水位と上側基準水位との間の予め定められた水位に達したとき等を当該タイミングとして適宜設定することができる。
本発明に記載の排水処理装置のこのような構成によれば、第１移送ポンプとして流量可変タイプのポンプを用いることによって、流量調整装置本来の流量調整機能の維持、安定化を図ることが可能となる。
【００１２】
（本発明の第４発明）
本発明の第４発明は、請求項４に記載されたとおりの排水処理装置である。
請求項４に記載の排水処理装置は、請求項２または３に記載の構成において、さらに第１移送ポンプ情報検出手段を備えている。この第１移送ポンプ情報検出手段は、第１移送ポンプが起動したことを検出可能な機能を有する手段である。そして、本発明では、第１移送ポンプ情報検出手段により検出された情報に基づいて流量増加手段が作動する、すなわち流量増加手段により流量調整装置への移送流量が増加され、流量調整装置への流入量が増加されるようになっている。
なお、ここでいう「第１移送ポンプ情報検出手段により検出された情報に基づいて流量増加手段が作動する。」との態様には、第１移送ポンプが起動したあと遅滞なく流量増加手段の作動が開始される態様や、第１移送ポンプが起動したあと一定時間経過後に流量増加手段の作動が開始される態様が含まれる。
本発明に記載の排水処理装置のこのような構成によれば、第１移送ポンプの起動時のように発生頻度が高いタイミングに対応して流量増加手段が作動することとなるため、流量調整装置へと移送される被処理水の移送流量を増加させる操作の頻度を高めることが可能となる。これにより、越流堰や潜り堰等、流量調整装置内の各構成部材に一旦付着したスケールや堆積した堆積物の除去を行うことのみならず、スケールの付着や堆積物の堆積の発生自体を抑えることが可能となる。
【発明の効果】
【００１３】
以上のように、本発明によれば、貯留領域の水位が下側基準水位と上側基準水位との間にある場合において、貯留領域から流量調整装置へと移送される被処理水の移送流量を増加させることによって、流量調整装置内の各構成部材に付着した付着物や堆積した堆積物を除去し、また付着物や堆積物の発生を防止することが可能となり、これにより流量調整装置本来の流量調整機能の維持、安定化に資する技術を実現することができる。
【発明を実施するための最良の形態】
【００１４】
以下に、本発明における「排水処理装置」の一実施の形態である排水処理槽１００の構成等を図面に基づいて説明する。
【００１５】
図１には、本発明における一実施の形態の排水処理槽１００の処理フローが示されている。
図１に示すように、本実施の形態の排水処理槽１００は、処理槽本体１０１に、ばっ気型スクリーン１１０、流量調整槽１２０、計量調整装置１３０、夾雑物除去槽１４０、担体流動槽１５０、担体濾過槽１６０、消毒槽１７０、放流ポンプ槽１８０、汚泥濃縮貯留槽１９０等が搭載されている。また、処理槽本体１０１の外部には、排水処理槽１００の関与する各種の制御を行う制御部２００（制御盤）が設置されている。
排水処理槽１００へ流入した汚水（被処理水）は、被処理水の処理経路において上記の構成要素によって処理され、処理後の水は放流ポンプ槽１８０の下流から排水処理槽１００外へ放流される一方、夾雑物除去槽１４０や担体濾過槽１６０の処理過程で分離・除去された汚泥は、一旦汚泥濃縮貯留槽１９０に貯留されたのちに排水処理槽１００外へ搬出される構成になっている。なお、本実施の形態では、各槽において処理される汚水（被処理排水）および当該汚水の処理過程において流れる水を「被処理水」ないし「水」と記載する。
【００１６】
ばっ気型スクリーン１１０は、所定の大きさのスクリーン目を有し、処理槽本体１０１へ流入した被処理水中に含まれる粗大な固形物や砂などを除去する機能を有する。
【００１７】
流量調整槽１２０は、被処理水を一時的に貯留するリザーバタンクとしての機能を有する槽である。この流量調整槽１２０は、本発明における「貯留領域」に対応しており、当該流量調整槽１２０には、貯留された被処理水を計量調整装置１３０へと移送する機能を有する流量調整用の第１移送ポンプ１２１および第２移送ポンプ１２２が設置されている。
【００１８】
計量調整装置１３０は、被処理水の一部（オーバーフロー水）を分岐させることによって流量調整槽１２０へ戻すことが可能となっており、これにより夾雑物除去槽１４０へ移送される被処理水の移送流量がコンスタントになるように適宜流量調整（計量処理）を行う機能を有する。この計量調整装置１３０が本発明における「流量調整装置」に対応している。
【００１９】
この計量調整装置１３０の構成を示す平面図が図２に示される。
図２に示すように、本実施の形態の計量調整装置１３０は、装置本体１３０ａの内部が仕切り壁１３６〜１３９によって複数の領域に区画される構成になっている。図２に示す形態では、装置本体１３０ａの内部が大別して５つの領域、すなわち第１室１３１、第２室１３２、第３室１３３、第４室１３４、オーバーフロー室（第５室）１３５に区画されるようになっている。流量調整槽１２０から第１移送ポンプ１２１ないし第２移送ポンプ１２２を介して移送される被処理水は、流入管１３０ｂを通じてまず第１室１３１へと流入するようになっている。第１室１３１には、越流によって被処理水が移流する越流堰１３１ａと、潜流によって被処理水が移流する潜り堰１３１ｂが設けられている。
【００２０】
計量調整装置１３０の第１室１３１に流入した被処理水の一部は、第４室１３４へと順次流れる過程において、仕切り壁１３６および仕切り壁１３７の２箇所に形成された溢れ堰を越えてオーバーフロー室１３５へとオーバーフローし一旦オーバーフロー室１３５に貯留されたのち、オーバーフロー管１３０ｄを通じてオーバーフロー水として流量調整槽１２０に戻る構成になっている。一方、オーバーフロー後の残りの被処理水は、第２室１３２→第３室１３３→第４室１３４の順に各室内を流れたのち、流出管１３０ｃを通じて夾雑物除去槽１４０へと移流する構成になっている。なお、第１室１３１の被処理水は仕切り壁１３６に形成された移流開口を通じて第２室１３２へと移流し、第２室１３２の被処理水は仕切り壁１３８に形成された潜流開口を通じて第３室１３３へと移流し、第３室１３３の被処理水は仕切り壁１３９に形成されたＶ字縁を越えて第４室１３４へと移流するようになっている。
【００２１】
図１に戻って、夾雑物除去槽１４０は、被処理水が含有する固形成分を、夾雑物として被処理水から分離させるための処理を行う槽であり、被処理水の固液分離機能を果たす。この夾雑物除去槽１４０には汚泥引き抜き手段１４２が設置されている。汚泥引き抜き手段１４２は、固液分離によって得られた夾雑物（固形成分）を含む汚泥を引き抜いて汚泥濃縮貯留槽１９０へと移送する機能を有する手段である。この汚泥引き抜き手段１４２としては、移送管内へエアが供給されることでそのエア流によって被処理水を吸入し吐出する既知の構成のエアリフトポンプを用いることができる。
【００２２】
担体流動槽１５０は、その内部に多数の粒状担体が流動可能に充填された好気性処理領域を有する。粒状担体は、例えば中空円筒状に形成され、この粒状担体には被処理水中の有機汚濁物を好気性処理するための好気性微生物が付着する。この担体流動槽１５０には、特に図示しないものの、槽内へエアを供給する散気装置が設けられており、粒状担体に付着した好気性微生物に酸素を付与する機能を有する。これにより、好気性微生物によって被処理水中の有機物の好気性処理（酸化分解）が進行し、被処理水中のＢＯＤ成分の除去が効率的に行われるようになっている。このとき、有機物の好気性処理（酸化分解）によって、汚泥（泥状物質）等の固形物（ＳＳ）が生成する。
【００２３】
担体濾過槽１６０には、担体流動槽１５０からの移流水中に含まれる固形物（ＳＳ）等の被濾過物を濾過処理する担体が充填されるとともに、エア流によって当該担体の逆洗処理を行う逆洗装置（図示省略）が設けられている。また、この担体濾過槽１６０には、汚泥引き抜き手段１６２、返還手段１６４等が設置されている。
汚泥引き抜き手段１６２は、固液分離によって担体濾過槽１６０の槽底部に堆積した汚泥等の堆積物を引き抜いて汚泥濃縮貯留槽１９０へと移送する機能を有する手段である。
返還手段１６４は、被濾過物が濾過されたあとの水を定期的に流量調整槽１２０へ返還する機能を有する手段である。これら汚泥引き抜き手段１６２および返還手段１６４としては、前記の汚泥引き抜き手段１４２と同様に、移送管内へエアが供給されることでそのエア流によって被処理水を吸入し吐出する既知の構成のエアリフトポンプを用いることができる。
【００２４】
消毒槽１７０は、担体濾過槽１６０から流入した水に適宜消毒処理を施したのちに消毒処理後の水を放流ポンプ槽１８０へと移流させるように構成されている。
【００２５】
放流ポンプ槽１８０は、浄化処理が施された水を一旦貯留するとともに槽内に貯留された水を、水中ポンプ等の放流ポンプによって排水処理槽１００外へ放流する機能を有する。
【００２６】
汚泥濃縮貯留槽１９０は、前記構成の夾雑物除去槽１４０および担体濾過槽１６０から汚泥引き抜き手段１４２，１６２によって抜き出された汚泥等の堆積物を貯留する機能を有する。また、この汚泥濃縮貯留槽１９０は、槽底部において沈降・堆積する沈降性汚泥（スラッジ）と、槽上部において浮遊する浮上性汚泥（スカム）との間に滞留する脱離液を、流量調整槽１２０へと返送する機能を有する。
【００２７】
ここで、上記の流量調整槽１２０の詳細な構成を図３を参照しながら説明する。図３には、排水処理槽１００の各部の構成のうち流量調整槽１２０周辺の構成が示される。
図３に示すように、流量調整槽１２０に設けられた第１移送ポンプ１２１および第２移送ポンプ１２２は、槽内に貯留された被処理水中に水没して設置されるよう設定された、いわゆる「水中ポンプ」として構成される。これら第１移送ポンプ１２１および第２移送ポンプ１２２は、各々被処理水を一定流量で移送する定流量タイプのポンプである。なお、これら第１移送ポンプ１２１および第２移送ポンプ１２２を、水中ポンプではなくエアリフトポンプによって構成することもできる。
【００２８】
また、流量調整槽１２０には、第１移送ポンプ１２１に対応した第１フロートスイッチ１２３、第２移送ポンプ１２２に対応した第２フロートスイッチ１２４、および撹拌装置１２５が設けられている。
撹拌装置１２５は、流量調整槽１２０内の水を撹拌する機能を有する装置である。この撹拌装置１２５として、典型的には供給エアのエア流によって水を撹拌する手段を用いることができる。
第１フロートスイッチ１２３は第１フロートＦ１および第２フロートＦ２を有し、これら第１フロートＦ１および第２フロートＦ２によって検出された水位情報を制御部２００へ送るように構成されている。一方、第２フロートスイッチ１２４は第３フロートＦ３および第４フロートＦ４を有し、これら第３フロートＦ３および第４フロートＦ４によって検出された水位情報を制御部２００へ送るように構成されている。
【００２９】
上記フロートＦ１〜Ｆ４の機能が図４に示される。
図４に示すように、第１フロートＦ１は、流量調整槽１２０の水位が上昇して下側基準水位（ＬＷＬ）に達したことを条件として第１移送ポンプ１２１を起動させる（運転開始させる）ポンプ起動用のフロートである。すなわち、流量調整槽１２０の水位が下側基準水位（ＬＷＬ）に達したことが第１フロートＦ１によって検出されると、当該第１フロートＦ１はその検出情報を制御部２００へと送り、これに伴い制御部２００は第１移送ポンプ１２１に対し起動制御信号を出力する。
【００３０】
また、本実施の形態では、この第１フロートＦ１は、更に第１移送ポンプ１２１が起動されたことを条件として第２移送ポンプ１２２を一時的に運転させるポンプ運転用のフロートとして使用されるようになっている。具体的には、流量調整槽１２０の水位が上昇して下側基準水位（ＬＷＬ）に達したことが第１フロートＦ１によって検出されると、当該第１フロートＦ１はその検出情報を制御部２００へと送る。そして、制御部２００はタイマによってカウント時間Δｔをカウントしたのちに第２移送ポンプ１２２に運転制御信号を出力する。このカウント時間Δｔとして０（零）以上の値を適宜設定することができる。一例として、カウント時間Δｔが０（零）に設定されている場合には、第１移送ポンプ１２１が起動したあと遅滞なく第２移送ポンプ１２２が所定時間運転されることとなる。また、カウント時間Δｔが１分に設定されている場合には、第１移送ポンプ１２１が起動してからほぼ１分後に第２移送ポンプ１２２が所定時間運転されることとなる。
この第１フロートＦ１は、第１移送ポンプ１２１が起動したことを検出可能な構成の手段であり、本発明における「第１移送ポンプ情報検出手段」を構成している。
【００３１】
第２フロートＦ２は、流量調整槽１２０の水位が下降して下側基準水位（ＬＷＬ）を下回ったことを条件として第１移送ポンプ１２１を停止させるポンプ停止用のフロートである。すなわち、流量調整槽１２０の水位が下側基準水位（ＬＷＬ）よりも低下したことが第２フロートＦ２によって検出されると、当該第２フロートＦ２はその検出情報を制御部２００へと送り、これに伴い制御部２００は第１移送ポンプ１２１に対し停止制御信号を出力する。
【００３２】
第３フロートＦ３は、流量調整槽１２０の水位が上昇して上側基準水位（ＨＷＬ）に達したことを条件として第２移送ポンプ１２２を起動させる（運転開始させる）ポンプ起動用のフロートである。すなわち、流量調整槽１２０の水位が上側基準水位（ＨＷＬ）に達したことが第３フロートＦ３によって検出されると、当該第３フロートＦ３はその検出情報を制御部２００へと送り、これに伴い制御部２００は第２移送ポンプ１２２に対し起動制御信号を出力する。
【００３３】
第４フロートＦ４は、流量調整槽１２０の水位が下降して上側基準水位（ＨＷＬ）を下回ったことを条件として第２移送ポンプ１２２を停止させるポンプ停止用のフロートである。すなわち、流量調整槽１２０の水位が上側基準水位（ＨＷＬ）よりも低下したことが第４フロートＦ４によって検出されると、当該第４フロートＦ４はその検出情報を制御部２００へと送り、これに伴い制御部２００は第２移送ポンプ１２２に対し停止制御信号を出力する。
【００３４】
次に、制御部２００によって制御される第１移送ポンプ１２１および第２移送ポンプ１２２の動作および作用を図５を参照しながら説明する。図５には、流量調整槽１２０の水位変動に対し第１移送ポンプ１２１および第２移送ポンプ１２２の作動タイミングが示される。なお、本実施の形態では、第１移送ポンプ１２１および第２移送ポンプ１２２をはじめ、前記の撹拌装置１２５、汚泥引き抜き手段１４２，１６２、返還手段１６４などにエアを送気するブロワ（図示省略）等の作動が制御部２００によって制御されるようになっている。
【００３５】
図５に示すように、第１移送ポンプ１２１は、流量調整槽１２０の水位が下側基準水位（ＬＷＬ）よりも高い場合に運転状態とされる常用のポンプとして使用される。すなわち、第１移送ポンプ１２１は、第１フロートＦ１による水位検出の結果、流量調整槽１２０の水位が下側基準水位（ＬＷＬ）を下回る水位となる以外は常時運転状態となる。この第１移送ポンプ１２１が、本発明における「第１移送ポンプ」に対応しており、下側基準水位（ＬＷＬ）が本発明における「下側基準水位」に相当する。
【００３６】
一方、第２移送ポンプ１２２は、流量調整槽１２０の水位が上側基準水位（ＨＷＬ）よりも高い場合と、下側基準水位（ＬＷＬ）と上側基準水位（ＨＷＬ）との間の所定の領域においてのみ作動する非常用のポンプとして使用される。すなわち、第２移送ポンプ１２２は、第３フロートＦ３による水位検出の結果、流量調整槽１２０の水位が上側基準水位（ＨＷＬ）を上回る水位において運転状態とされる第１の運転モードと、第３フロートＦ３による水位検出の結果に関わらず第１移送ポンプ１２１の起動に伴って一時的に所定時間Ｔだけ運転状態とされる第２の運転モードを有する。特に、本実施の形態では、第２移送ポンプ１２２において第１の運転モードに加え、第２の運転モードを設定したことを特徴とする。これら第１の運転モードおよび第２の運転モードにおいては、第１移送ポンプ１２１および第２移送ポンプ１２２が一時的に所定時間Ｔだけ２台同時運転となる。この第２移送ポンプ１２２が、本発明における「第２移送ポンプ」に対応しており、上側基準水位（ＨＷＬ）が本発明における「上側基準水位」に相当する。
なお、本実施の形態では、第２の運転モードにおいて第２移送ポンプ１２２が一時的に運転される運転時間（所定時間Ｔ）は、計量調整装置１３０への被処理水の移送流量を増加させることによって夾雑物除去槽１４０以降における処理流量（処理負荷）を増加させ過ぎないような短時間、一例としては３０秒から１分の間の時間に設定されるのが好ましい。
【００３７】
ところで、流量調整槽１２０への被処理水の流入量が少ないときには、流量調整槽１２０の水位が上側基準水位（ＨＷＬ）に達する頻度が少なくなる。このような状況において、第２移送ポンプ１２２に第２の運転モードの設定がなく第１の運転モードのみが設定されている場合には、第１移送ポンプ１２１および第２移送ポンプ１２２の２台同時運転の機会が少なくなり、流量調整槽１２０から計量調整装置１３０へと移送される被処理水の移送流量は少なく当該移送流量の変動も小さくなる。このような場合には、計量調整装置１３０への被処理水の流入量および流入量変動も小さくなるため、計量調整装置１３０内の流通経路における流量（流速）は低レベルで安定化することとなり、計量調整装置１３０内に形成された越流堰や潜り堰にスケールの付着や夾雑物の堆積が発生するおそれがある。とりわけ、計量調整装置１３０内において上流側に位置する第１室１３１に形成されている越流堰付近や潜り堰付近にスケールの付着や夾雑物の堆積が発生し易い。また、計量調整装置１３０の前段に微細目スクリーンのような固形物分離手段が設けられないような場合にはこのような問題がより顕著となる。そして、越流堰や潜り堰にスケールの付着や夾雑物の堆積が発生すると、計量調整装置１３０本来の流量調整機能が損なわれることが想定される。
【００３８】
そこで、本実施の形態では、第２移送ポンプ１２２において第１の運転モードに加え、第２の運転モードを設定している。この第２の運転モードにおいては、第１移送ポンプ１２１の起動に対応して必ず第２移送ポンプ１２２が所定時間Ｔだけ運転されることとなるため、第１移送ポンプ１２１および第２移送ポンプ１２２の２台同時運転の機会を増やすことが可能となる。これにより、流量調整槽１２０から計量調整装置１３０へと移送される被処理水の移送流量が一時的に増加され計量調整装置１３０への流入量が増加されるため、計量調整装置１３０内の流通経路を流れる被処理水の流量および流速を増加させることができるとともに、被処理水の流量および流速に変動を与えることができる。従って、計量調整装置１３０内の各構成部材、例えば越流によって被処理水の移流を可能とする越流堰や、潜流によって被処理水の移流を可能とする潜り堰等に付着したＳＳなどのスケールや堆積物を除去し、計量調整装置１３０外へ排出することが可能となる。とりわけ、第１移送ポンプ１２１の起動時のように発生頻度が高いタイミングに対応して第２移送ポンプ１２２を運転することによって当該運転の頻度が高まり、越流堰や潜り堰等に一旦付着したスケールや堆積した堆積物の除去を行うことのみならず、越流堰や潜り堰等におけるスケールの付着や堆積物の堆積の発生自体を抑えることが可能となる。かくして、計量調整装置１３０本来の流量調整機能の維持、安定化を図ることが可能となる。なお、第２移送ポンプ１２２によって増加させる被処理水の増加量は、計量調整装置１３０の洗浄処理において得られる洗浄効果に応じて適宜設定する。
第２の運転モードが設定された上記構成の第２移送ポンプ１２２は、第１移送ポンプ１２１を介して計量調整装置１３０へと移送される被処理水の移送流量を増加させる機能を有する手段であり、本発明における「流量増加手段」を構成する。また、第２移送ポンプ１２２のこの第２の運転モードは、計量調整装置１３０への被処理水の流入量を増やすことによって計量調整装置１３０の洗浄処理を行うモードであり、後述する態様２〜態様６における「洗浄処理モード」に対応している。
また、このような計量調整装置１３０の洗浄効果により、計量調整装置１３０の前段に微細目スクリーンのような固形物分離手段を設ける必要がなくなり、計量調整装置１３０の構成を簡素化することが可能となる。
【００３９】
〔他の実施の形態〕
なお、本発明は上記の実施の形態のみに限定されるものではなく、種々の応用や変形が考えられる。例えば、上記実施の形態を応用した次の各形態を実施することもできる。
【００４０】
上記実施の形態では、流量調整槽１２０から計量調整装置１３０へと移送される被処理水の移送流量を増加させる操作を第２移送ポンプ１２２の運転頻度を増やすことによって行う場合について記載したが、第１移送ポンプ１２１を流量可変タイプの構成とし、第１移送ポンプ１２１による被処理水の移送流量を増加させる制御を行うことによって流量調整槽１２０から計量調整装置１３０へと移送される被処理水の移送流量を増加させるようにしてもよい。
具体的には、流量調整槽１２０の水位が下側基準水位（ＬＷＬ）と上側基準水位（ＨＷＬ）との間にある場合において、第１移送ポンプ１２１による移送流量を当該第１移送ポンプ１２１の起動時よりも増加させた状態を所定時間、例えば本実施の形態における所定時間Ｔだけ継続する構成とする。なお、第１移送ポンプ１２１の移送流量を増加させるタイミングに関しては、第１移送ポンプ１２１の起動時ないし当該起動時から所定時間後、また、流量調整槽１２０の水位が下側基準水位（ＬＷＬ）と上側基準水位（ＨＷＬ）との間の予め定められた水位に達したとき等を当該タイミングとして適宜設定することができる。
その他の形態として、第１移送ポンプ１２１や第２移送ポンプ１２２以外の移送ポンプを所定時間運転する構成によって、流量調整槽１２０から計量調整装置１３０へと移送される被処理水の移送流量を増加させる流量増加手段を構成することもできる。
【００４１】
また、上記実施の形態や種々の変更の形態に鑑み、本発明では以下の態様１〜態様６に記載の構成を採り得る。
【００４２】
（態様１）
本発明では、「請求項２または請求項３に記載の排水処理装置であって、
前記貯留領域の水位が下側基準水位と上側基準水位との間の特定の水位に達したことを検出可能な水位情報検出手段を備え、
前記流量増加手段は、前記水位情報検出手段により検出された情報に基づいて作動する構成であることを特徴とする排水処理装置。」という構成（態様１）を採り得る。
【００４３】
この態様１に記載の排水処理装置は、請求項２または請求項３に記載の構成において、さらに水位情報検出手段を備えている。この水位情報検出手段は、貯留領域の水位が下側基準水位と上側基準水位との間の特定の水位に達したことを検出可能な機能を有する手段である。この水位情報検出手段としては、貯留領域の水位が特定の水位に達したことを検出可能なフロートスイッチなどを用いることができる。そして、本発明では、水位情報検出手段により検出された情報に基づいて流量増加手段が作動する、すなわち流量増加手段により流量調整装置への移送流量が増加され、流量調整装置への流入量が増加されるようになっている。ここで、貯留領域の各水位のうち運転中に到達する出現頻度の高い水位を特定の水位に設定するのが好ましい。これにより、水位情報検出手段が高頻度で作動し、流量増加手段が高頻度で作動することとなる。
なお、ここでいう「水位情報検出手段により検出された情報に基づいて流量増加手段が作動する。」との態様には、水位情報検出手段によって貯留領域の水位が特定の水位に達したあと遅滞なく流量増加手段の作動が開始される態様や、水位情報検出手段によって貯留領域の水位が特定の水位に達したあと一定時間経過後に流量増加手段の作動が開始される態様が含まれる。
本態様１に記載の排水処理装置のこのような構成によれば、貯留領域の水位が出現頻度の高い特定の水位に達したときに水位情報検出手段が作動するように設定することにより、流量調整装置へと移送される被処理水の移送流量を増加させる操作の頻度を高めることが可能となる。これにより、越流堰や潜り堰等、流量調整装置内の各構成部材に一旦付着したスケールや堆積した堆積物の除去を行うことのみならず、スケールの付着や堆積物の堆積の発生自体を抑えることが可能となる。
【００４４】
（態様２）
本発明では、「被処理水の処理経路に、被処理水の一部を分岐させることによって流量調整を行う流量調整装置と、貯留領域から前記流量調整装置へと被処理水を移送可能な第１移送ポンプおよび第２移送ポンプとを備え、前記貯留領域の水位が下側基準水位よりも高い場合に前記第１移送ポンプが運転状態とされ、前記貯留領域の水位が上側基準水位よりも高い場合に前記第１移送ポンプに加え前記第２移送ポンプが運転状態とされる構成の排水処理装置において、前記流量調整装置の洗浄を行う方法であって、
前記貯留領域の水位が下側基準水位と上側基準水位との間にある場合において、前記第１移送ポンプを介して前記流量調整装置への被処理水の移送流量を増加させ、これにより当該流量調整装置の洗浄を行う洗浄処理モードを有することを特徴とする、流量調整装置の洗浄方法。」という構成（態様２）を採り得る。
【００４５】
この態様２に記載の流量調整装置の洗浄方法では、流量調整装置の洗浄を行う洗浄処理モードを設けている。この洗浄処理モードでは、貯留領域の水位が下側基準水位と上側基準水位との間にある場合において、第１移送ポンプを介して流量調整装置への被処理水の移送流量を増加させる処理を行う。すなわち、この洗浄処理モードは、流量調整装置へと流入する被処理水の流入量を増加させ、流量調整装置内の流通経路を流れる被処理水の流量および流速を増加させるとともに、被処理水の流量および流速に変動を与えることによって、流量調整装置内の各構成部に付着したＳＳなどのスケールや堆積物を除去し、流量調整装置外へ排出することで流量調整装置の洗浄処理を行う運転モードである。当該洗浄処理は、既に運転中の状態にある第１移送ポンプに加え本来停止中の状態にある第２移送ポンプを所定時間運転したり、既に運転中の状態にある第１移送ポンプの移送能力を一時的に上げるように制御したり、また第１移送ポンプや第２移送ポンプ以外の移送ポンプを所定時間運転したりすることによって行うことができる。
本態様２に記載の流量調整装置の洗浄方法によれば、請求項１において記載の作用効果と実質的に同様に、流量調整装置内の流通経路を流れる被処理水の流量および流速を増加させることができるとともに、被処理水の流量および流速に変動を与えることができるため、流量調整装置内の各構成部材、例えば越流によって被処理水の移流を可能とする越流堰や、潜流によって被処理水の移流を可能とする潜り堰等に付着したＳＳなどのスケールや堆積物を除去し、流量調整装置外へ排出するという洗浄操作が可能となる。とりわけ、洗浄処理モードの処理頻度を高めることによって、越流堰や潜り堰等におけるスケールの付着や堆積物の堆積の発生自体を抑えることが可能となる。かくして、流量調整装置本来の流量調整機能の維持、安定化を図ることが可能となる。
【００４６】
（態様３）
また、本発明では、「態様２に記載の流量調整装置の洗浄方法であって、
前記洗浄処理モードにおいて、前記第２移送ポンプを所定時間運転させ前記流量調整装置への被処理水の移送流量を増加させることによって当該流量調整装置の洗浄を行うことを特徴とする、流量調整装置の洗浄方法。」という構成（態様３）を採り得る。
【００４７】
この態様３に記載の流量調整装置の洗浄方法では、態様２に記載の洗浄処理モードにおいて、第２移送ポンプを所定時間運転させ流量調整装置への被処理水の移送流量を増加させる処理を行う。
本態様３に記載の流量調整装置の洗浄方法によれば、請求項２において記載の作用効果と実質的に同様に、流量調整装置本来の流量調整機能の維持、安定化を図ることが可能となるうえに、本来貯留領域の水位が上側基準水位に達しないと運転されない第２移送ポンプを用いて流量調整装置の洗浄処理を行うため合理的である。
【００４８】
（態様４）
また、本発明では、「態様２に記載の流量調整装置の洗浄方法であって、
前記洗浄処理モードにおいて、前記第１移送ポンプによる移送流量を当該第１移送ポンプの起動時よりも増加させた状態を所定時間継続し前記流量調整装置への被処理水の移送流量を増加させることによって当該流量調整装置の洗浄を行うことを特徴とする、流量調整装置の洗浄方法。」という構成（態様４）を採り得る。
【００４９】
この態様４に記載の流量調整装置の洗浄方法では、態様２に記載の洗浄処理モードにおいて、第１移送ポンプによる移送流量を当該第１移送ポンプの起動時よりも増加させた状態を所定時間継続し流量調整装置への被処理水の移送流量を増加させる処理を行う。当該処理に際しては、流量可変タイプの第１移送ポンプを用いるのが好ましい。
本態様４に記載の流量調整装置の洗浄方法によれば、請求項３において記載の作用効果と実質的に同様に、第１移送ポンプの移送能力を制御することによって、流量調整装置本来の流量調整機能の維持、安定化を図ることが可能となる。
【００５０】
（態様５）
また、本発明では、「態様３または態様４に記載の流量調整装置の洗浄方法であって、
前記洗浄処理モードでは、前記第１移送ポンプが起動したことを条件として前記第２移送ポンプを所定時間運転させる処理、ないし前記第１移送ポンプによる移送流量の増加継続処理を行うことを特徴とする、流量調整装置の洗浄方法。」という構成（態様５）を採り得る。
【００５１】
この態様５に記載の流量調整装置の洗浄方法では、態様３または態様４に記載の洗浄処理モードにおいて、第１移送ポンプが起動したことを条件として第２移送ポンプを所定時間運転させる処理、ないし第１移送ポンプによる移送流量の増加継続処理を行う。
本態様５に記載の流量調整装置の洗浄方法によれば、請求項４において記載の作用効果と実質的に同様に、第１移送ポンプの起動時のように発生頻度が高いタイミングに対応して洗浄処理モードを設けるため、流量調整装置へと移送される被処理水の移送流量を増加させる処理の頻度を高めることが可能となる。これにより、越流堰や潜り堰等、流量調整装置内の各構成部材に一旦付着したスケールや堆積した堆積物の除去を行うことのみならず、スケールの付着や堆積物の堆積の発生自体を抑えることが可能となる。
【００５２】
（態様６）
また、本発明では、「態様３または態様４に記載の流量調整装置の洗浄方法であって、
前記洗浄処理モードでは、前記貯留領域の水位が下側基準水位と上側基準水位との間の特定の水位に達したことを条件として前記第２移送ポンプを所定時間運転させる処理、ないし前記第１移送ポンプによる移送流量の増加継続処理を行うことを特徴とする、流量調整装置の洗浄方法。」という構成（態様６）を採り得る。
【００５３】
この態様６に記載の流量調整装置の洗浄方法では、態様３または態様４に記載の洗浄処理モードにおいて、貯留領域の水位が下側基準水位と上側基準水位との間の特定の水位に達したことを条件として第２移送ポンプを所定時間運転させる処理、ないし第１移送ポンプによる移送流量の増加継続処理を行う。貯留領域の水位が特定の水位に達したことはフロートスイッチなどの水位情報検出手段を用いて検出する。なお、貯留領域の各水位のうち運転中に到達する発生頻度の高い水位を特定の水位に設定するのが好ましい。
本態様６に記載の流量調整装置の洗浄方法によれば、流量調整装置へと移送される被処理水の移送流量を増加させる処理の頻度を高めることが可能となり、これにより、越流堰や潜り堰等、流量調整装置内の各構成部材に一旦付着したスケールや堆積した堆積物の除去を行うことのみならず、スケールの付着や堆積物の堆積の発生自体を抑えることが可能となる。
【図面の簡単な説明】
【００５４】
【図１】本発明における一実施の形態の排水処理槽１００の処理フローを示す図である。
【図２】図１中の計量調整装置１３０の構成を示す平面図である。
【図３】排水処理槽１００のうち流量調整槽１２０周辺の構成を示す図である。
【図４】第１フロートＦ１〜Ｆ４の機能を説明する図である。
【図５】流量調整槽１２０の水位変動に対し第１移送ポンプ１２１および第２移送ポンプ１２２の作動タイミングを示す図である。
【符号の説明】
【００５５】
１００…排水処理槽
１１０…ばっ気型スクリーン
１２０…流量調整槽
１２１…第１移送ポンプ
１２２…第２移送ポンプ
１２３…第１フロートスイッチ
１２４…第２フロートスイッチ
１２５…撹拌装置
１３０…計量調整装置
１４０…夾雑物除去槽
１４２，１６２…汚泥引き抜き手段
１５０…担体流動槽
１６０…担体濾過槽
１６４…返還手段
１７０…消毒槽
１８０…放流ポンプ槽
１９０…汚泥濃縮貯留槽
２００…制御部
【図１】
2005118677.tif 000003
【図２】
2005118677.tif 000004
【図３】
2005118677.tif 000005
【図４】
2005118677.tif 000006
【図５】
2005118677.tif 000007